【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
第１乃至第６トランジスタと、
第１発光素子と、
第２発光素子と、
第１乃至第５配線と、を有し、
前記第１トランジスタのゲートは、前記第２配線に接続され、
前記第１トランジスタのソース及びドレインの一方は、前記第４配線に接続され、
前記第１トランジスタのソース及びドレインの他方は、前記第３トランジスタのゲートに接続され、
前記第２トランジスタのゲートは、前記第１配線に接続され、
前記第２トランジスタのソース及びドレインの一方は、前記第５配線に接続され、
前記第２トランジスタのソース及びドレインの他方は、前記第３トランジスタのゲートに接続され、
前記第３トランジスタのソース及びドレインの一方は、前記第１発光素子の第１端子に接続され、
前記第３トランジスタのソース及びドレインの他方は、第１電位が与えられ、
前記第１発光素子の第２端子は、第２電位が与えられ、
前記第４トランジスタのゲートは、前記第３配線に接続され、
前記第４トランジスタのソース及びドレインの一方は、前記第４配線に接続され、
前記第４トランジスタのソース及びドレインの他方は、前記第６トランジスタのゲートに接続され、
前記第５トランジスタのゲートは、前記第２配線に接続され、
前記第５トランジスタのソース及びドレインの一方は、前記第５配線に接続され、
前記第５トランジスタのソース及びドレインの他方は、前記第６トランジスタのゲートに接続され、
前記第６トランジスタのソース及びドレインの一方は、前記第２発光素子の第１端子に接続され、
前記第６トランジスタのソース及びドレインの他方は、前記第１電位が与えられ、
前記第２発光素子の第２端子は、前記第２電位が与えられ、
前記第４配線は、画像情報を含む信号が与えられ、
前記第５配線は、第３電位が与えられることを特徴とする発光装置。
【請求項２】
第１乃至第６トランジスタと、
第１発光素子と、
第２発光素子と、
第１乃至第５配線と、を有し、
前記第１トランジスタのゲートは、前記第２配線に接続され、
前記第１トランジスタのソース及びドレインの一方は、前記第４配線に接続され、
前記第１トランジスタのソース及びドレインの他方は、前記第３トランジスタのゲートに接続され、
前記第２トランジスタのゲートは、前記第１配線に接続され、
前記第２トランジスタのソース及びドレインの一方は、前記第５配線に接続され、
前記第２トランジスタのソース及びドレインの他方は、前記第３トランジスタのゲートに接続され、
前記第３トランジスタのソース及びドレインの一方は、前記第１発光素子の第１端子に接続され、
前記第３トランジスタのソース及びドレインの他方は、第１電位が与えられ、
前記第１発光素子の第２端子は、第２電位が与えられ、
前記第４トランジスタのゲートは、前記第３配線に接続され、
前記第４トランジスタのソース及びドレインの一方は、前記第４配線に接続され、
前記第４トランジスタのソース及びドレインの他方は、前記第６トランジスタのゲートに接続され、
前記第５トランジスタのゲートは、前記第２配線に接続され、
前記第５トランジスタのソース及びドレインの一方は、前記第５配線に接続され、
前記第５トランジスタのソース及びドレインの他方は、前記第６トランジスタのゲートに接続され、
前記第６トランジスタのソース及びドレインの一方は、前記第２発光素子の第１端子に接続され、
前記第６トランジスタのソース及びドレインの他方は、前記第１電位が与えられ、
前記第２発光素子の第２端子は、前記第２電位が与えられ、
前記第４配線は、画像情報を含む信号が与えられ、
前記第５配線は、前記第２電位が与えられることを特徴とする発光装置。
【請求項３】
第１乃至第６トランジスタと、
第１容量素子と、
第２容量素子と、
第１発光素子と、
第２発光素子と、
第１乃至第４配線と、を有し、
前記第１トランジスタのゲートは、前記第２配線に接続され、
前記第１トランジスタのソース及びドレインの一方は、前記第４配線に接続され、
前記第１トランジスタのソース及びドレインの他方は、前記第３トランジスタのゲートに接続され、
前記第２トランジスタのゲートは、前記第１配線に接続され、
前記第２トランジスタのソース及びドレインの一方は、前記第３トランジスタのソース及びドレインの一方に接続され、
前記第２トランジスタのソース及びドレインの他方は、前記第３トランジスタのゲートに接続され、
前記第３トランジスタのソース及びドレインの一方は、前記第１発光素子の第１端子に接続され、
前記第３トランジスタのソース及びドレインの他方は、第１電位が与えられ、
前記第１容量素子の第１端子は、前記第３トランジスタのゲートに接続され、
前記第１容量素子の第２端子は、前記第３トランジスタのソース及びドレインの一方に接続され、
前記第１発光素子の第２端子は、第２電位が与えられ、
前記第４トランジスタのゲートは、前記第３配線に接続され、
前記第４トランジスタのソース及びドレインの一方は、前記第４配線に接続され、
前記第４トランジスタのソース及びドレインの他方は、前記第６トランジスタのゲートに接続され、
前記第５トランジスタのゲートは、前記第２配線に接続され、
前記第５トランジスタのソース及びドレインの一方は、前記第６トランジスタのソース及びドレインの一方に接続され、
前記第５トランジスタのソース及びドレインの他方は、前記第６トランジスタのゲートに接続され、
前記第６トランジスタのソース及びドレインの一方は、前記第２発光素子の第１端子に接続され、
前記第６トランジスタのソース及びドレインの他方は、前記第１電位が与えられ、
前記第２容量素子の第１端子は、前記第６トランジスタのゲートに接続され、
前記第２容量素子の第２端子は、前記第６トランジスタのソース及びドレインの一方に接続され、
前記第２発光素子の第２端子は、前記第２電位が与えられ、
前記第４配線は、画像情報を含む信号が与えられることを特徴とする発光装置。
【請求項４】
第１乃至第６トランジスタと、
第１発光素子と、
第２発光素子と、
第１乃至第５配線と、を有し、
前記第１トランジスタのゲートは、前記第２配線に接続され、
前記第１トランジスタのソース及びドレインの一方は、前記第４配線に接続され、
前記第１トランジスタのソース及びドレインの他方は、前記第３トランジスタのゲートに接続され、
前記第２トランジスタのゲートは、前記第１配線に接続され、
前記第２トランジスタのソース及びドレインの一方は、前記第５配線に接続され、
前記第２トランジスタのソース及びドレインの他方は、前記第３トランジスタのゲートに接続され、
前記第３トランジスタのソース及びドレインの一方は、前記第１発光素子の第１端子に接続され、
前記第３トランジスタのソース及びドレインの他方は、第１電位が与えられ、
前記第１発光素子の第２端子は、第２電位が与えられ、
前記第４トランジスタのゲートは、前記第３配線に接続され、
前記第４トランジスタのソース及びドレインの一方は、前記第４配線に接続され、
前記第４トランジスタのソース及びドレインの他方は、前記第６トランジスタのゲートに接続され、
前記第５トランジスタのゲートは、前記第２配線に接続され、
前記第５トランジスタのソース及びドレインの一方は、前記第５配線に接続され、
前記第５トランジスタのソース及びドレインの他方は、前記第６トランジスタのゲートに接続され、
前記第６トランジスタのソース及びドレインの一方は、前記第２発光素子の第１端子に接続され、
前記第６トランジスタのソース及びドレインの他方は、前記第１電位が与えられ、
前記第２発光素子の第２端子は、前記第２電位が与えられ、
前記第４配線は、画像情報を含む第１信号が与えられ、
前記第１信号が前記第４配線に与えられるよりも早いタイミングで、前記第５配線に前記第１信号が与えられることを特徴とする発光装置。